(57)【要約】【課題】駆動集積回路が封止基板内に形成される有機電界発光表示装置を提供する。【解決手段】本発明の一側面による有機電界発光表示装置は、基板が提供され、前記基板上に形成される有機発光ダイオードと、前記有機発光ダイオードの電極と電気的に連結される駆動集積回路（ＤＲＩＶＥＲ  ＩＣ）を備え、前記有機発光ダイオードを密封する封止基板を含んで構成される。【選択図】図２
2007164124.tif 000002
【特許請求の範囲】
【請求項１】
有機発光ダイオードが形成された基板と、
前記有機発光ダイオードと信号ラインで電気的に連結される駆動集積回路（ＤＲＩＶＥＲ  ＩＣ）が装着され、前記有機発光ダイオード及び前記駆動集積回路を密封する封止基板とを含んで構成される有機電界発光表示装置。
【請求項２】
前記封止基板には、前記駆動集積回路の厚さよりも厚い保護突起が形成されることを特徴とする請求項１に記載の有機電界発光表示装置。
【請求項３】
前記駆動集積回路は、前記封止基板に接着剤で装着されることを特徴とする請求項１に記載の有機電界発光表示装置。
【請求項４】
前記信号ラインの終端には、電極パッドが形成され、前記駆動集積回路は、前記各電極パッドに連結されるバンプを備えることを特徴とする請求項１に記載の有機電界発光表示装置。
【請求項５】
前記バンプと前記電極パッドとの間には、異方性導電フィルムが備えられ、電気的に連結されることを特徴とする請求項４に記載の有機電界発光表示装置。
【請求項６】
前記駆動集積回路は、複数個備えられる請求項１に記載の有機電界発光表示装置。
【請求項７】
前記信号ラインは、スキャン信号を伝達するスキャンライン、データ信号を伝達するデータラインを含むことを特徴とする請求項１に記載の有機電界発光表示装置。
【請求項８】
前記データラインは、前記駆動集積回路の近いバンプに連結され、前記スキャンラインは、前記駆動集積回路の遠いバンプに連結されることを特徴とする請求項４に記載の有機電界発光表示装置。
【請求項９】
前記封止基板には、吸湿剤がさらに付着されることを特徴とする請求項１に記載の有機電界発光表示装置。
【請求項１０】
有機電界発光ダイオード、及び前記有機発光ダイオードに電気的に連結される信号ラインが形成された基板を提供する段階；及び
駆動集積回路を装着した封止基板で前記有機発光ダイオードを密封しながら、前記信号ラインの終端に形成されたパッド電極に駆動集積回路をＣＯＧ法にて実装する段階を含んで構成される有機電界発光表示装置の製造方法。
【発明の詳細な説明】
【技術分野】
【０００１】
本発明は、有機電界発光表示装置に関し、より詳しくは、駆動集積回路が封止基板で密封される有機電界発光表示装置に関する。
【背景技術】
【０００２】
有機電界発光表示装置は、互いに対向する電極間に有機発光層を位置させ、両電極間に電圧を印加すると、一方の電極から注入された電子と他方の電極から注入された正孔とが有機発光層で結合し、この時の結合を通じて発光層の発光分子がまず励起され、その後、基底状態に戻りながら放出されるエネルギーを光で発光させる平板表示装置の一つである。
【０００３】
このような発光原理を有する有機電界発光表示装置は、視認性に優れ、軽量化、薄膜化を図ることができ、低電圧で駆動することができ、次世代ディスプレイとして注目されている。
【０００４】
有機電界発光表示装置を駆動するためには、駆動集積回路が備えられなければならないが、最近、駆動集積回路を基板上に直接実装する方式、すなわち、チップオンガラス（ＣＯＧ：Ｃｈｉｐ  Ｏｎ  Ｇｌａｓｓ）方式が普及しており、図１は、このようなＣＯＧ方式の有機電界発光表示装置を示している。
【０００５】
これによれば、有機電界発光表示装置は、大別して、基板１０、有機発光ダイオード２０、封止基板４０、駆動集積回路３０を含んで構成される。すなわち、基板上の第１領域に有機発光ダイオードが備えられ、有機発光ダイオードに信号ラインを伝達する駆動集積回路が第２領域に備えられる。この時、封止基板は、画素領域上の有機発光ダイオードを密封するが、有機発光層は水分に弱く、有機発光層を水分から保護するための封止構造を必要とするからである。
【０００６】
一方、前記従来の有機電界発光表示装置の駆動集積回路及びその製造方法に関する技術を記載した文献としては、下記特許文献１ないし３等がある。
【特許文献１】韓国公開特許２００２−００２７９３３号公報
【特許文献２】韓国公開特許１９９９−０１５６７４号公報
【特許文献３】米国特許公開ＵＳ  ２００４／０２６２６０５  Ａ１号公報
【発明の開示】
【発明が解決しようとする課題】
【０００７】
しかし、このようなＣＯＧタイプの有機電界発光表示装置は、駆動集積回路が異物、汚染、湿気によって誘発される腐食に無防備に露出されるという問題点がある。
【０００８】
本発明は、前記の問題点に鑑みてなされたものであって、本発明の目的は、駆動集積回路の装着構造を変更して、より駆動集積回路の腐食を防止すると同時に、有機電界発光表示装置のデッドスペース（ｄｅａｄ  ｓｐａｃｅ）を減少させる有機電界発光表示装置を提供することである。
【課題を解決するための手段】
【０００９】
本発明の一側面による有機電界発光表示装置は、基板；前記基板上に形成される有機発光ダイオード；前記有機発光ダイオードと信号ラインで連結される駆動集積回路（ＤＲＩＶＥＲ  ＩＣ）が装着され、前記有機発光ダイオードを密封する封止基板を含んで構成されることを特徴とする。
【００１０】
また、本発明の一側面による有機電界発光表示装置の製造方法は、有機電界発光ダイオード、及び前記有機発光ダイオードに電気的に連結される信号ラインが形成された基板を提供する段階；及び駆動集積回路を装着した封止基板で前記有機発光ダイオードを密封しながら、前記信号ラインの終端に形成されたパッド電極に駆動集積回路をＣＯＧ法にて実装する段階；を含んで構成されることを特徴とする。
【発明の効果】
【００１１】
このような構成による有機発光表示装置は、ＣＯＧ法にて駆動集積回路を実装する有機発光表示装置において、有機発光ダイオードだけでなく、駆動集積回路を腐食から保護する効果がある。
【００１２】
また、駆動集積回路を封止基板の内部に形成することによって、機構的な強度を確保すると同時に、有機発光表示装置のデッドスペースを減少させ、基板内のセル数を増加させ、これによって製造コストを節減することができる効果がある。
【発明を実施するための最良の形態】
【００１３】
以下では、本発明による有機電界発光表示装置の一実施例を、図２及び図３を参照しながらより詳しく説明する。これによれば、有機電界発光表示装置は、有機発光ダイオード１２０を含む基板１１０、及び駆動集積回路１３０を装着した封止基板１４０を含んで構成される。
【００１４】
基板１１０上に形成される有機発光ダイオード１２０は、互いに対向する一対の電極と、前記電極間に介在されたもので、少なくとも有機発光層を含む有機電界発光素子を含む。この時、有機電界発光素子は、パッシブ駆動型またはアクティブ駆動型のいずれの形態でも構わない。また、本実施例において、有機電界発光素子の材料、構成などは制限されないので、これに対する詳細な説明は省略する。
【００１５】
有機発光ダイオード１２０は、後述する１３０と信号ラインで連結されるが、有機発光ダイオード１２０と１３０とを連結する信号ラインは、スキャン信号を伝達するスキャンライン１２３と、データ信号を伝達するデータライン１２５とがある。信号ライン１２３、１２５の各終端には、駆動集積回路１３０との接触のためのパッド電極（図示せず）が形成される。
【００１６】
信号ライン１２３、１２５は、様々な方法で基板上で延長されて駆動集積回路１３０に連結されることができる。例えば、本実施例において、データライン１２５は、有機発光ダイオードから垂直に延長されて１３０に連結され、スキャンライン１２３は、水平に延長されてデータラインが連結される１３０の反対側に連結されるが、これに限るものではない。
【００１７】
封止基板１４０は、従来、有機発光ダイオード１２０のみを密封したのとは異なり、駆動集積回路１３０が装着され、装着される駆動集積回路１３０を外部から密封する。駆動集積回路１３０は、封止基板１４０に様々な方法で装着されることができるが、例えば、封止基板１４０にリブを形成してリブ間に締まり嵌めで装着するか、または接着剤などで装着することができ、当業者による多様な変更を予想することができる。
【００１８】
一方、駆動集積回路１３０が装着される部分の封止基板１４０には、前記駆動集積回路１３０の厚さよりも厚い長さの保護突起１４１を備えることが望ましい。保護突起１４１は、基板１１０と封止基板１４０とが接触する時、駆動集積回路１３０に加えられることができる外力から駆動集積回路を保護する機能をする。
【００１９】
駆動集積回路１３０は、データ信号、スキャン信号、及びアイコン信号を伝達する信号ラインで電気的に有機発光ダイオードに連結されるが、有機発光ダイオード１２０の画素部に少なくとも一つ以上の半導体素子が形成される場合、これは半導体素子のソースまたはドレイン及びゲート電極と電気的に連結されるようになる。
【００２０】
一方、図４は、図３のＡ部分に対する図で、駆動集積回路が基板上に形成されるパッド部及び信号線を示すが、これによれば、駆動集積回路１３０は、パッド電極と電気的に連結されるバンプ１３３、１３５を備える。パッド電極と駆動集積回路１３０のバンプ１３３、１３５は、互いに対向するように形成され、パッド電極とバンプ１３３、１３５との間に異方性導電フィルムなどの導電物質が介在され、有機発光ダイオード１２０と駆動集積回路１３０とは電気的に連結される。
【００２１】
この時、一つまたはそれ以上の駆動集積回路１３０が備えられることができるが、駆動集積回路１３０は、信号ラインの種類によって別々に制御するか、または信号ラインを特定数だけ制御するように備えられることができる。なお、駆動集積回路１３０は、外部入力信号を伝達する入力ライン１４０をさらに備えることができることを、当業者は認識するであろう。
【００２２】
封止基板１４０の材料は、金属、ガラス、及びプラスチックなどが使用されることができ、本実施例において、封止基板１４０は、キャップ状に形成されているが、板状に形成されることもできる。板状の場合、封止基板１４０と密着する基板の端部が突出され、封止基板と基板との間に位置するようになる有機発光ダイオードが形成される空間を確保しなければならない。
【００２３】
封止基板１４０と基板１１０との間には所定の空間が形成され、前記空間は、窒素リッチ（ｒｉｃｈ）状態に形成されるか、またはアルゴンなどの不活性気体で充填され、酸素分率を低下させることができる。
【００２４】
封止基板１４０と基板１１０との間の接着剤は、熱硬化型、化学硬化型、紫外線硬化型などの材料があり、非制限的または硬化性の高い紫外線硬化型を使用することが望ましい。
【００２５】
一方、封止手段には、吸湿材１５０がさらに含まれることができる。吸湿材１５０は、封止基板１４０と基板１１０との間の空間に侵入した水分を除去する手段であって、アルカリ金属酸化物、アルカリ土類金属酸化物、金属ハロゲン化物、金属硫酸塩、金属過塩素酸塩及び五酸化リンなどが材料として使用されることができ、さらにポリマーナノ粒子層（ｐｎｐｌ）の形態で備えられることができる。
【００２６】
以下では、本発明による有機電界発光表示装置の一実施例によって製造する方法を説明する。
【００２７】
まず、基板１１０上の第１領域に、有機発光ダイオード１２０、及び前記有機発光ダイオード１２０の第１及び第２電極にそれぞれ電気的に連結される信号ラインを形成する。この時、信号ライン１２３、１２５の終端には、駆動集積回路１３０が連結できるようにパッド電極を形成する。信号ライン１２３、１２５は、第１領域の有機発光ダイオード１２０から第２領域の駆動集積回路１３０に連結されるが、図３で示した実施例においては、データライン１２５が第１領域に近い側に延長され、スキャンライン１２３が両側に分割されながら延長され、第１領域に遠い側に半円を描きながら延長されるが、これに限るものではない。
【００２８】
次に、駆動集積回路１３０を装着した封止基板１４０で有機発光ダイオード１２０を密封する。密封時には接着剤を使用するが、接着剤を塗布して、封止基板１４０を覆った後、紫外線を照射して硬化させることが望ましい。これと同時に、パッド電極と対向するバンプ１３３、１３５を備えた駆動集積回路１３０が前記パッド電極に電気的に接触するようにする（ＣＯＧ法）。すなわち、パッド電極上に導電ボールとこれを含む樹脂とからなる異方性導電フィルム（Ａｎｉｓｏｔｒｏｐｉｃ  Ｃｏｎｄｕｃｔｉｖｅ  Ｆｉｌｍ）を位置させ、駆動集積回路１３０をパッド電極に圧着させる。これによって、駆動集積回路１３０の底面に備えられたバンプ１３３、１３５は、導電物質を介してパッド電極と電気的に連結される。
【００２９】
本発明は、主に上記の実施例に基づいて説明されたが、発明の要旨を逸脱しない範囲で他の多様な修正と変形が行われることができる。例えば、スキャンラインが一側に延長されることも可能であり、駆動集積回路が多数個備えられる場合、前記駆動集積回路がある方向に様々な方法で延長されながら形成可能である。
【００３０】
本発明に対する権利範囲は、上記の請求範囲によって定められるものであって、明細書本文の記載に拘らず、請求範囲の均等な範囲に属する変形と変更はすべて本発明の範囲に属する。
【図面の簡単な説明】
【００３１】
【図１】従来のＣＯＧ方式の有機電界発光表示装置の断面図である。
【図２】本発明の一実施例による有機電界発光表示装置の断面図である。
【図３】本発明の一実施例による有機電界発光表示装置の平面図である。
【図４】図３のＡ部分のバンプを示す図である。
【符号の説明】
【００３２】
１１０  基板
１２０  有機発光ダイオード
１２３  スキャンライン（信号ライン）
１２５  データライン（信号ライン）
１３０  駆動集積回路
１３３、１３５  バンプ
１４０  封止基板
１４１  保護突起
１５０  吸湿材
【図１】
2007164124.tif 000003
【図２】
2007164124.tif 000004
【図３】
2007164124.tif 000005
【図４】
2007164124.tif 000006